(57)【要約】【課題】サーバ装置から受信したコンテンツを再生する際に、消費電力の低減を図ることが可能な表示装置を提供する。【解決手段】液晶テレビ１００は、液晶パネル１７と、液晶パネル１７に光を照射するバックライト１３と、バックライト１３の輝度を調整するための制御部２２と、コンテンツが蓄積されたＰＣ１５２と家庭内ＬＡＮ１５３を介して通信する通信部２１とを備えている。制御部２２は、通信部２１により受信したコンテンツが音声ファイルである場合に、バックライト１３の輝度を第１の輝度から第１の輝度よりも低い第２の輝度に低下させる。【選択図】図１
2010191168.tif 000002
【特許請求の範囲】
【請求項１】
表示パネルと、
前記表示パネルに光を照射する光源と、
前記光源の輝度を調整するための制御部と、を備えた表示装置において、
コンテンツが蓄積されたサーバ装置とネットワークを介して通信する通信部をさらに備え、
前記制御部は、前記通信部により受信したコンテンツが音声ファイルである場合に、前記光源の輝度を第１の輝度から前記第１の輝度よりも低い第２の輝度に低下させる、ことを特徴とする表示装置。
【請求項２】
請求項１に記載の表示装置において、
前記制御部は、前記通信部により受信したコンテンツが動画ファイルまたは画像ファイルである場合に、前記光源の輝度を前記第１の輝度のまま保持する、ことを特徴とする表示装置。
【請求項３】
請求項１に記載の表示装置において、
前記制御部は、前記通信部が音声ファイルを受信することにより、前記光源の輝度が前記第２の輝度に低下された状態で前記音声ファイルが再生された後、前記通信部が音声ファイルを受信した場合に、前記光源の輝度を前記第２の輝度のまま保持する、ことを特徴とする表示装置。
【請求項４】
請求項１に記載の表示装置において、
前記制御部は、前記通信部が音声ファイルを受信することにより、前記光源の輝度が前記第２の輝度に低下された状態で前記音声ファイルが再生された後、前記通信部が動画ファイルまたは画像ファイルを受信した場合に、前記光源の輝度を前記第２の輝度から前記第１の輝度に戻す、ことを特徴とする表示装置。
【請求項５】
請求項１に記載の表示装置において、
利用者からの操作指令を受け付ける操作部をさらに備え、
前記制御部は、前記通信部が音声ファイルを受信することにより、前記光源の輝度が前記第２の輝度に低下された状態で前記音声ファイルが再生されているときに、前記操作部が操作指令を受け付けた場合に、前記光源の輝度を前記第２の輝度から前記第１の輝度に戻す、ことを特徴とする表示装置。
【請求項６】
請求項１に記載の表示装置において、
前記制御部は、前記通信部により受信したコンテンツが音声ファイルであるか否かをファイルの拡張子に基づいて判断する、ことを特徴とする表示装置。
【発明の詳細な説明】
【技術分野】
【０００１】
本発明は、表示パネルおよび光源を備えた表示装置に関する。
【背景技術】
【０００２】
従来、液晶パネルと、液晶パネルに光を照射するバックライトとを備えた液晶テレビジョンが知られている（たとえば、特許文献１参照）。このような液晶テレビジョンでは、消費電力の多くをバックライトにおける消費電力が占めている。そこで、上記特許文献１の液晶テレビジョンでは、外部入力端子から映像信号が入力されていない場合に、「No Signal」などのＯＳＤ（On-Screen Display）表示を行うとともに、バックライトの輝度を低下させる。これにより、利用者の利便性が低下するのを抑制しながら、消費電力の低減を図ることが可能である。
【０００３】
また、従来では、コンテンツが蓄積されたサーバ装置とネットワークを介して通信する通信部を備えたテレビジョン受像機も知られている（たとえば、特許文献２参照）。このテレビジョン受像機では、サーバ装置から受信したコンテンツを再生することが可能である。
【先行技術文献】
【特許文献】
【０００４】
【特許文献１】特開２００８−２７５９７８号公報
【特許文献２】特開２００８−１６９３０号公報
【発明の概要】
【発明が解決しようとする課題】
【０００５】
しかしながら、上記特許文献１には、サーバ装置から受信したコンテンツを再生する際の動作については、開示も示唆もされていない。
【０００６】
また、上記特許文献２には、消費電力の低減を図る構成については、開示も示唆もされていない。
【０００７】
本発明は、上述した課題を解決するものであって、その目的とするところは、サーバ装置から受信したコンテンツを再生する際に、消費電力の低減を図ることが可能な表示装置を提供することである。
【課題を解決するための手段】
【０００８】
本発明の表示装置は、表示パネルと、表示パネルに光を照射する光源と、光源の輝度を調整するための制御部と、を備えた表示装置において、コンテンツが蓄積されたサーバ装置とネットワークを介して通信する通信部をさらに備え、制御部は、通信部により受信したコンテンツが音声ファイルである場合に、光源の輝度を第１の輝度から第１の輝度よりも低い第２の輝度に低下させる。
【０００９】
このように構成することによって、サーバ装置から受信したコンテンツが画面の輝度を問題としない音声ファイルである場合は、光源の輝度が第１の輝度から第２の輝度に低下するので、音声ファイルが再生される際に、消費電力の低減を図ることができる。
【００１０】
上記表示装置において、制御部は、通信部により受信したコンテンツが動画ファイルまたは画像ファイルである場合に、光源の輝度を第１の輝度のまま保持するようにしてもよい。
【００１１】
このように構成すれば、サーバ装置から受信したコンテンツが動画ファイルまたは画像ファイルである場合に、光源の輝度が低下しないので、動画ファイルまたは画像ファイルが再生される際に、動画または画像が見にくくなるのを防止することができる。
【００１２】
上記表示装置において、制御部は、通信部が音声ファイルを受信することにより、光源の輝度が第２の輝度に低下された状態で音声ファイルが再生された後、通信部が音声ファイルを受信した場合に、光源の輝度を第２の輝度のまま保持するようにしてもよい。
【００１３】
このように構成すれば、音声ファイルが再生された後、音声ファイルを受信した場合に、光源の輝度が低輝度のまま保持されるので、消費電力の低減を図ることができる。
【００１４】
上記表示装置において、制御部は、通信部が音声ファイルを受信することにより、光源の輝度が第２の輝度に低下された状態で音声ファイルが再生された後、通信部が動画ファイルまたは画像ファイルを受信した場合に、光源の輝度を第２の輝度から第１の輝度に戻すようにしてもよい。
【００１５】
このように構成すれば、音声ファイルが再生された後、動画ファイルまたは画像ファイルを受信した場合に、光源の輝度が高輝度に戻されるので、動画または画像が見にくくなるのを防止することができる。
【００１６】
上記表示装置において、利用者からの操作指令を受け付ける操作部をさらに備え、制御部は、通信部が音声ファイルを受信することにより、光源の輝度が第２の輝度に低下された状態で音声ファイルが再生されているときに、操作部が操作指令を受け付けた場合に、光源の輝度を第２の輝度から第１の輝度に戻すようにしてもよい。
【００１７】
このように構成すれば、音声ファイルの再生中に、利用者が操作部を操作する際に、表示パネルに表示される画像が見にくくなるのを防止することができるので、利用者の利便性が低下するのを抑制することができる。
【００１８】
上記表示装置において、制御部は、通信部により受信したコンテンツが音声ファイルであるか否かをファイルの拡張子に基づいて判断するようにしてもよい。
【００１９】
このように構成すれば、コンテンツが音声ファイルであるか否かを容易に判断することができる。
【発明の効果】
【００２０】
本発明によれば、サーバ装置から受信したコンテンツを再生する際に、消費電力の低減を図ることが可能な表示装置を提供することができる。
【図面の簡単な説明】
【００２１】
【図１】本発明の一実施形態による液晶テレビの全体構成を示したブロック図である。
【図２】本発明の一実施形態による液晶テレビの動作を説明するためのフローチャートである。
【発明を実施するための形態】
【００２２】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００２３】
まず、図１を参照して、本発明の一実施形態による液晶テレビ１００の構成について説明する。
【００２４】
本実施形態による液晶テレビ１００は、図１に示すように、テレビジョン放送を受信して表示するテレビ本体１と、テレビ本体１を遠隔操作するリモコン２とを備えている。なお、リモコン２は、本発明の「操作部」の一例である。
【００２５】
テレビ本体１は、電源回路１１と、インバータ回路１２と、バックライト１３と、チューナ１４と、信号処理部１５と、駆動回路１６と、液晶パネル１７と、アンプ１８と、スピーカ１９と、受信部２０と、通信部２１と、制御部２２とを含んでいる。そして、チューナ１４と、信号処理部１５と、駆動回路１６と、アンプ１８と、受信部２０と、通信部２１と、制御部２２とは、バス１ａを介して接続されている。なお、バックライト１３は、本発明の「光源」の一例であり、液晶パネル１７は、本発明の「表示パネル」の一例である。
【００２６】
電源回路１１は、ブリッジ整流回路などを含み、電源（図示省略）から供給される電力を交流から直流に変換してインバータ回路１２に出力する。なお、図１では省略したが、電源回路１１は、制御部２２などにも電力を供給している。
【００２７】
インバータ回路１２は、電源回路１１から供給された直流電圧を高圧の交流電圧に変換してバックライト１３に供給する。バックライト１３は、液晶パネル１７の背面から光を照射するために設けられている。このバックライト１３は、冷陰極管などを有しており、インバータ回路１２から供給される電圧により冷陰極管が点灯するように構成されている。
【００２８】
チューナ１４には、アンテナ１５１が接続されており、チューナ１４は、地上デジタル放送などのテレビジョン放送を受信する。そして、チューナ１４は、受信した放送信号を信号処理部１５に出力する。信号処理部１５は、デコーダ回路やＯＳＤ（On-Screen Display）回路などを含み、チューナ１４から入力された放送信号に対して所定の処理を施す。そして、信号処理部１５は、映像信号を駆動回路１６に出力するとともに、音声信号をアンプ１８に出力する。
【００２９】
駆動回路１６は、信号処理部１５から入力された映像信号に基づいて、液晶パネル１７の各ドットの開口率を制御する駆動信号を生成する。液晶パネル１７は、バックライト１３から照射された光を駆動信号に応じて透過させることにより映像を表示する。
【００３０】
アンプ１８は、信号処理部１５から入力された音声信号を増幅してスピーカ１９に出力する。スピーカ１９は、アンプ１８から入力された音声信号に基づいて、音声を再生する。
【００３１】
受信部２０は、フォトダイオードなどを含み、リモコン２から出力されるリモコン信号を受信する。通信部２１は、コンテンツが蓄積されたパーソナルコンピュータ（以下、「ＰＣ」という）１５２と、家庭内ＬＡＮ（ホームネットワーク）１５３を介して通信する。ＰＣ１５２は、ＤＬＮＡ（登録商標）（Digital Living Network Alliance）サーバとして機能する。
【００３２】
ここで、ＤＬＮＡとは、家庭内ＬＡＮに存在する機器の接続やコンテンツの共有を自動的に行う機能などをガイドラインとして策定する業界団体である。そして、ＤＬＮＡクライアントは、家庭内ＬＡＮに接続されたときに、家庭内ＬＡＮに存在するＤＬＮＡサーバを探し出し、利用可能なコンテンツの一覧を取得する。なお、ＰＣ１５２は、本発明の「サーバ装置」の一例であり、家庭内ＬＡＮ１５３は、本発明の「ネットワーク」の一例である。
【００３３】
制御部２２は、インバータ回路１２を制御することにより、バックライト１３の輝度を調整する。この制御部２２は、ＣＰＵ、ＲＯＭ、ＲＡＭ、およびカウンタなどを有する。ＣＰＵは、テレビ本体１の動作を制御する。ＲＯＭは、書き換え可能な不揮発性のメモリであり、たとえば、フラッシュメモリである。ＲＯＭは、テレビ本体１の動作を制御するためのプログラムや、各種設定項目の設定値などを記憶する。ＲＡＭは、たとえば、ＤＲＡＭであり、プログラムが実行される際のデータなどを一時的に記憶する。なお、カウンタについては後述する。
【００３４】
リモコン２は、利用者からの操作指令を受け付ける操作ボタンや、操作指令に応じてリモコン信号を発信する発信部などを有している。
【００３５】
液晶テレビ１００は、ＤＬＮＡクライアントとして機能する。したがって、液晶テレビ１００は、ＤＬＮＡクライアントモードに切り替えられた場合に、ＰＣ１５２に蓄積されたコンテンツの一覧を取得するとともに、取得した一覧から選択したコンテンツを利用することが可能である。
【００３６】
次に、図１および図２を参照して、本実施形態による液晶テレビ１００の動作について説明する。なお、以下の動作説明では、液晶テレビ１００（図１参照）がＤＬＮＡクライアントとして動作する場合について説明する。また、液晶テレビ１００は、ＤＬＮＡクライアントモードが開始される前においては、バックライト１３（図１参照）の輝度が第１の輝度（映像を表示する際の通常の輝度）に設定されている。また、このフローチャートの各ステップは、制御部２２（図１参照）により実行される。
【００３７】
まず、液晶テレビ１００では、図２のステップＳ１において、ＤＬＮＡクライアントモードが開始されたか否かが判断される。なお、ＤＬＮＡクライアントモードが開始されたか否かは、リモコン２（図１参照）から出力されるＤＬＮＡクライアントモードを開始する旨を示すリモコン信号を受信部２０（図１参照）が受信したか否かにより判断される。そして、ＤＬＮＡクライアントモードが開始されていないと判断された場合には、ステップＳ１が繰り返し行われる。すなわち、液晶テレビ１００は、ＤＬＮＡクライアントモードが開始されるまで待機する。そして、ＤＬＮＡクライアントモードが開始されたと判断された場合には、ステップＳ２に移る。
【００３８】
次に、ステップＳ２において、通信部２１（図１参照）を用いて、家庭内ＬＡＮ１５３に存在するＤＬＮＡサーバを探し出し、利用可能なコンテンツの一覧を取得する。これにより、本実施形態では、ＰＣ１５２に蓄積されたコンテンツの一覧が取得される。
【００３９】
次に、ステップＳ３において、取得された一覧からコンテンツが選択されたか否かが判断される。そして、コンテンツが選択されたと判断された場合には、ステップＳ４に移る。なお、コンテンツが選択された場合には、液晶パネル１７（図１参照）に表示されるコンテンツの一覧から利用者がリモコン２を用いてコンテンツを選択する場合や、利用者がリモコン２を用いてプレイリスト（所定のコンテンツ群）を選択することにより、制御部２２がコンテンツを順に選択する場合などを含む。その一方、コンテンツが選択されていないと判断された場合には、ステップＳ１９に移る。
【００４０】
次に、ステップＳ４において、選択されたコンテンツが音声ファイルであるか否かが判断される。このコンテンツの種類の判別は、たとえば、ファイルの拡張子に基づいて判断される。したがって、選択されたコンテンツの拡張子が「ｍｐ３」や「ｗｍａ」などである場合には、コンテンツが音声ファイルであると判断され、ステップＳ５に移る。その一方、選択されたコンテンツの拡張子が「ｍｐｇ」や「ｊｐｇ」などである場合には、コンテンツが音声ファイルではなく、動画ファイルまたは画像ファイルであると判断され、ステップＳ１６に移る。
【００４１】
次に、ステップＳ５において、インバータ回路１２（図１参照）によりバックライト１３の輝度が第１の輝度から第２の輝度に低下される。なお、バックライト１３の輝度が第２の輝度である場合には、バックライト１３の輝度が第２の輝度のまま保持される。そして、ステップＳ６において、音声ファイルの再生が開始される。具体的には、通信部２１により受信した音声ファイルが信号処理部１５（図１参照）により再生される。このとき、スピーカ１９（図１参照）により音声が再生されるとともに、再生される音声ファイルのタイトル名などの情報が液晶パネル１７に表示される。なお、第２の輝度は、第１の輝度よりも低く、かつ、液晶パネル１７に表示されるタイトル名などの情報を利用者が視認することが可能な輝度である。
【００４２】
次に、ステップＳ７において、利用者によりリモコン２が操作されたか否かが判断される。なお、リモコン２が操作されたか否かは、受信部２０がリモコン２から出力されるリモコン信号を受信したか否かにより判断される。そして、リモコン２が操作されていないと判断された場合には、ステップＳ８に移る。その一方、リモコン２が操作されたと判断された場合には、ステップＳ９に移る。
【００４３】
ステップＳ８においては、音声ファイルの再生が終了したか否かが判断される。そして、音声ファイルの再生が終了したと判断された場合には、ステップＳ１９に移る。その一方、音声ファイルの再生が終了していないと判断された場合には、ステップＳ７に戻る。
【００４４】
また、ステップＳ９においては、インバータ回路１２によりバックライト１３の輝度が第２の輝度から第１の輝度に戻される。そして、ステップＳ１０において、制御部２２のカウンタがカウントを開始する。
【００４５】
次に、ステップＳ１１において、カウンタのカウント値に基づいて、リモコン２が操作されてから所定の時間経過したか否かが判断される。そして、所定の時間経過したと判断された場合には、ステップＳ１２において、インバータ回路１２によりバックライト１３の輝度が第１の輝度から第２の輝度に低下され、ステップＳ８に移る。その一方、所定の時間経過していないと判断された場合には、ステップＳ１３に移る。
【００４６】
次に、ステップＳ１３において、音声ファイルの再生が終了したか否かが判断される。そして、音声ファイルの再生が終了したと判断された場合には、ステップＳ１９に移る。その一方、音声ファイルの再生が終了していないと判断された場合には、ステップＳ１４に移る。
【００４７】
次に、ステップＳ１４において、利用者によりリモコン２が操作されたか否かが判断される。そして、リモコン２が操作されていないと判断された場合には、ステップＳ１１に戻る。その一方、リモコン２が操作されたと判断された場合には、ステップＳ１５において、カウンタのカウント値がリセットされた後、ステップＳ１１に戻る。
【００４８】
また、選択されたコンテンツが動画ファイルや画像ファイルの場合、ステップＳ１６において、インバータ回路１２によりバックライト１３の輝度が第１の輝度のまま保持される。なお、バックライト１３の輝度が第２の輝度である場合には、バックライト１３の輝度が第２の輝度から第１の輝度に戻される。そして、ステップＳ１７において、動画ファイルまたは画像ファイルの再生が開始される。具体的には、通信部２１により受信した動画ファイルまたは画像ファイルが信号処理部１５により再生される。
【００４９】
次に、ステップＳ１８において、動画ファイルまたは画像ファイルの再生が終了したか否かが判断される。そして、動画ファイルまたは画像ファイルの再生が終了したと判断された場合には、ステップＳ１９に移る。その一方、動画ファイルまたは画像ファイルの再生が終了していないと判断された場合には、ステップＳ１８が繰り返し行われる。
【００５０】
次に、ステップＳ１９において、ＤＬＮＡクライアントモードが終了されたか否かが判断される。なお、ＤＬＮＡクライアントモードが終了されたか否かは、リモコン２から出力されるＤＬＮＡクライアントモードを終了する旨を示すリモコン信号を受信部２０が受信したか否かにより判断される。そして、ＤＬＮＡクライアントモードが終了されていないと判断された場合には、ステップＳ３に戻る。その一方、ＤＬＮＡクライアントモードが終了されたと判断された場合には、ステップＳ２０において、インバータ回路１２によりバックライト１３の輝度が第２の輝度から第１の輝度に戻され、ＤＬＮＡクライアントモードが終了する。なお、ステップＳ２０において、バックライト１３の輝度が第１の輝度であった場合には、バックライト１３の輝度が第１の輝度のまま保持される。
【００５１】
本実施形態では、上記のように、ＰＣ１５２から受信したコンテンツが音声ファイルである場合に（ステップＳ４：Yes）、インバータ回路１２によりバックライト１３の輝度を第１の輝度から第２の輝度に低下させる（ステップＳ５）ことによって、音声ファイルが再生される際に、消費電力の低減を図ることができる。この場合、液晶パネル１７の画面が暗くなっても、音楽再生であれば支障はない。
【００５２】
また、本実施形態では、ＰＣ１５２から受信したコンテンツが動画ファイルまたは画像ファイルである場合に（ステップＳ４：Ｎｏ）、バックライト１３の輝度が第１の輝度のまま保持される（ステップＳ１６）ことによって、動画ファイルまたは画像ファイルが再生される際に、液晶パネル１７の画面が暗くなって動画または画像が見にくくなるのを防止することができる。
【００５３】
また、本実施形態では、バックライト１３の輝度が第２の輝度に低下された状態で音声ファイルが再生された後、ＰＣ１５２から音声ファイルを受信した場合に（ステップＳ４：Yes）、バックライト１３の輝度が第２の輝度のまま保持される（ステップＳ５）ことによって、消費電力の低減を図ることができる。
【００５４】
また、本実施形態では、バックライト１３の輝度が第２の輝度に低下された状態で音声ファイルが再生された後、ＰＣ１５２から動画ファイルまたは画像ファイルを受信した場合に（ステップＳ４：Ｎｏ）、バックライト１３の輝度が第２の輝度から第１の輝度に戻される（ステップＳ１６）ことによって、動画または画像が見にくくなるのを防止することができる。
【００５５】
また、本実施形態では、バックライト１３の輝度が第２の輝度に低下された状態で音声ファイルが再生されているときに、リモコン２が操作された場合に（ステップＳ７：Yes）、バックライト１３の輝度を第２の輝度から第１の輝度に戻す（ステップＳ９）ことによって、音声ファイルの再生中に、利用者がリモコン２を操作する際に、液晶パネル１７に表示される画像が見にくくなるのを防止することができるので、利用者の利便性が低下するのを抑制することができる。
【００５６】
また、本実施形態では、バックライト１３の輝度を第２の輝度から第１の輝度に戻した後、所定の時間経過した場合に（ステップＳ１１：Yes）、バックライト１３の輝度を第１の輝度から第２の輝度に低下させる（ステップＳ１２）ことによって、利用者の利便性が低下するのを抑制しながら、消費電力の低減を図ることができる。
【００５７】
また、本実施形態では、受信したコンテンツの種類をファイルの拡張子に基づいて判断することによって、容易に、受信したコンテンツの種類を判断することができる。
【００５８】
本発明は、上述した以外にも種々の実施形態を採用することができる。たとえば、上記実施形態では、液晶テレビ１００に本発明を適用する例を示したが、これに限らず、液晶ディスプレイなどのその他の表示装置に本発明を適用してもよい。
【００５９】
また、上記実施形態では、サーバ装置の一例としてＰＣ１５２を示したが、これに限らず、サーバ装置としてＤＬＮＡ対応のＮＡＳ（Network  Attached  Storage）を用いてもよい。
【００６０】
また、上記実施形態では、第２の輝度を、液晶パネル１７に表示されるタイトル名などの情報を利用者が視認することが可能な輝度にする例を示したが、これに限らず、第２の輝度を、液晶パネル１７に表示されるタイトル名などの情報を利用者が視認することができない輝度にしてもよい。すなわち、ステップＳ５およびＳ１２において、バックライト１３の輝度を低下させる例を示したが、これに限らず、バックライト１３を消灯するようにしてもよい。この場合には、消費電力をより低減することができる。
【００６１】
また、上記実施形態では、ファイルの拡張子に基づいて、コンテンツの種類を判別する（ステップＳ４）例を示したが、これに限らず、ファイルのヘッダ情報に基づいて、コンテンツの種類を判別するようにしてもよい。
【００６２】
また、上記実施形態では、液晶テレビ１００がＤＬＮＡクライアント機能を有する例を示したが、これに限らず、液晶テレビ１００がＰＣ１５２に蓄積されたコンテンツを利用可能なクライアント機能を有していればよい。
【００６３】
また、上記実施形態では、テレビ本体１がスピーカ１９を含む例を示したが、これに限らず、テレビ本体１がスピーカを含んでいなくてもよい。すなわち、スピーカがテレビ本体とは別個に設けられていてもよい。
【符号の説明】
【００６４】
２      リモコン（操作部）
１３    バックライト（光源）
１７    液晶パネル（表示パネル）
２１    通信部
２２    制御部
１００  液晶テレビ（表示装置）
１５２  ＰＣ（サーバ装置）
１５３  家庭内ＬＡＮ（ネットワーク）
【図１】
2010191168.tif 000003
【図２】
2010191168.tif 000004